(57)【要約】      （修正有）【課題】簡単な作業で飲料を楽しむことができる飲料メーカーを提供する。【解決手段】飲料メーカー１であって、第１の蓋１２と、第１のタンク１０と、ヒーター１４と、第１の弁１３と、中間部３０と、第２の弁２３と、第２のタンク２０と、第２の蓋２２とを備え、前記ヒーターは前記第１のタンクに入る液体を加熱可能に配置され、前記第１の弁は前記第１のタンクと前記中間部の間に配置され、前記第２の弁は前記第２のタンクと前記中間部の間に配置され、前記中間部は内部に飲料原料を配置可能で、前記第１の弁は、通常状態では前記第１のタンク内の液体が重力により前記中間部へ移動しないように閉じ、前記第１のタンク内の液体が所定条件に達したことを検知したとき開き、前記第２の弁は、前記中間部から前記第２のタンクへ液体が重力により移動するように開き、前記第２のタンク内の液体が重力により前記中間部へ移動しないように閉じる。【選択図】図１
2020175046.tif 000002
【特許請求の範囲】
【請求項１】
飲料メーカーであって、
前記飲料メーカーは、第１の蓋と、第１のタンクと、ヒーターと、第１の弁と、中間部と、第２の弁と、第２のタンクと、第２の蓋とを備え、
前記第１のタンクは第１の開口を有し、前記第１の開口は前記第１の蓋で閉口可能であり、
前記ヒーターは前記第１のタンクに入る液体を加熱できるように配置され、
前記第２のタンクは第２の開口を有し、前記第２の開口は前記第２の蓋で閉口可能であり、
前記第１の弁は、前記第１のタンクと前記中間部の間に配置され、
前記第２の弁は、前記第２のタンクと前記中間部の間に配置され、
前記中間部は内部に飲料原料を配置可能であり、
前記第１の弁は、通常状態では前記第１のタンク内の液体が重力により前記中間部へ移動しないように閉じ、前記第１のタンク内の液体が所定条件に達したことを検知したときに開き、
前記第２の弁は、前記中間部から前記第２のタンクへ液体が重力により移動するように開き、前記第２のタンク内の液体が重力により前記中間部へ移動しないように閉じること飲料メーカー。
【請求項２】
前記第１のタンク内の液体が前記ヒーターによって加熱され、前記第１のタンク内の液体が所定温度にまで上昇したこと、又は第１タンク内が所定の圧力に達したことを検知したときに、前記第１の弁が開く請求項１に記載の飲料メーカー。
【請求項３】
前記第２の弁は、逆流防止弁である請求項１又は２に記載の飲料メーカー。
【請求項４】
前記第１のタンク内の液体は、重力により前記中間部へ移動し前記中間部に配置された飲料原料を通過することで飲料となり、飲料は前記第２の弁を経て前記第２のタンクへ移動し、
前記第２の開口は、飲料の飲み口である請求項１〜３のいずれかに記載の携帯用の飲料メーカー。
【請求項５】
前記第２のタンクの前記第２の開口を前記第２の蓋で閉じた状態で、前記第１のタンクが上に、前記第２のタンクが下に来るように置かれ、前記第１の開口から液体を注いだ後に前記第１の蓋で前記第１の開口を閉じ、前記ヒーターが液体を加熱し、液体が所定温度まで上昇したことを検知して前記第１の弁が開き、加熱された液体が重力により前記中間部へ移動し、加熱された液体が前記中間部内の飲料原料を通過することで飲料となり、飲料が重力により前記第２のタンクに移動し、その後前記第１のタンクが下に、前記第２のタンクが上に来るように倒置し、前記第２の開口から飲料を飲むことが出来る請求項１〜４のいずれかに記載の飲料メーカー。
【請求項６】
前記中間部は、前記飲料メーカーの側面から引き出し可能な引き出し部を有し、
前記引き出し部に飲料原料を配置可能である請求項１〜５のいずれかに記載の飲料メーカー。
【請求項７】
前記ヒーターの電源となる電池部をさらに有する請求項１〜６のいずれかに記載の飲料メーカー。
【発明の詳細な説明】
【技術分野】
【０００１】
本発明は、携帯可能な飲料メーカーに関するものである。
【背景技術】
【０００２】
外出先でも気軽に好みの飲料を楽しむために、飲料メーカー、例えばコーヒーメーカーが持ち運び可能なものが種々提案されている。
【０００３】
特許文献１では、タンク内開口と水タンクと、当該水タンクに入れた水を加熱する加熱部材と、カップ開口と水蒸気抜き孔とを有するカップと、上向きの当該タンク開口と下向の当該カップ開口とを水密結合する結合体と、当該結合体の当該水タンク側に位置するタンク側コーヒーフィルターと、を含めて構成され、当該水タンク内の水を沸騰させた後に、当該水タンクと当該カップを倒置することにより沸騰した水が当該カップ側フィルターと当該タンク側のフィルターとの間に入れたコーヒー粉を、抜けて当該カップ内に、落下するように構成されている携帯用コーヒーメーカーが開示されている。
【先行技術文献】
【特許文献】
【０００４】
【特許文献１】特開２０１１−０７２７６４号公報
【発明の概要】
【発明が解決しようとする課題】
【０００５】
特許文献１によると、水タンク内の水を沸騰させた後に、重力により沸騰した水がフィルターを抜けてカップ内に落下してドリップするように構成されている。そうすると、特許文献１に記載の携帯用コーヒーメーカーでは、ドリップが完了した時はコーヒーが入ったカップの上にコーヒーフィルター及び水タンクが配置された状態となる。そうすると、コーヒーフィルター及び水タンクを取り外さないことにはコーヒーを飲むことが出来ない。取り外したコーヒーフィルター及び水タンクの置き場に困るため、例えば外出中、運転中等にコーヒーを楽しみたいユーザーには煩雑な作業であり、この点について改善の余地があった。
【０００６】
本発明の目的は、飲料を飲む際に簡単な作業で飲料を楽しむことができる飲料メーカーを提供することである。
【課題を解決するための手段】
【０００７】
本発明の一実施形態に係る飲料メーカーは、第１の蓋と、第１のタンクと、ヒーターと、第１の弁と、中間部と、第２の弁と、第２のタンクと、第２の蓋とを備え、前記第１のタンクは第１の開口を有し、前記第１の開口は前記第１の蓋で閉口可能であり、前記ヒーターは前記第１のタンクに入る液体を加熱できるように配置され、前記第２のタンクは第２の開口を有し、前記第２の開口は前記第２の蓋で閉口可能であり、前記第１の弁は、前記第１のタンクと前記中間部の間に配置され、前記第２の弁は、前記第２のタンクと前記中間部の間に配置され、前記中間部は内部に飲料原料Ｉを配置可能であり、前記第１の弁は、通常状態では前記第１のタンク内の液体が重力により前記中間部へ移動しないように閉じ、前記第１のタンク内の液体が所定条件に達したことを検知したときに開き、前記第２の弁は、前記中間部から前記第２のタンクへ液体が重力により移動するように開き、前記第２のタンク内の液体が重力により前記中間部へ移動しないように閉じる。
【０００８】
これにより、第１のタンクを上にして飲料メーカーを載置し、第１のタンクから中間部へ通って第２タンクへ液体が重力により移動した後、第２のタンクが上になるように飲料メーカーを倒置しても、第２タンク内の液体は重力により中間部へ移動することがないため、飲料メーカーの中間部や第１のタンクを取り外すことなく液体を飲むことが出来る。
【発明の効果】
【０００９】
本発明によれば、飲料を飲む際に簡単な作業で飲料を楽しむことができる。
【図面の簡単な説明】
【００１０】
【図１】本発明の実施形態の一例を模式的に表す断面図である。
【図２】本発明の実施形態の一例についての使用方法を説明するフローチャートである。
【発明を実施するための形態】
【００１１】
以下、図面を参照しながら本発明の実施の形態を詳しく説明する。以下の説明において、紙面上側を「上」紙面下側を「下」と表現し、重力は上から下の方向にかかるものとする。
【００１２】
（飲料メーカーの全体構成）
本発明の実施形態に係る飲料メーカー１は外観略円柱状の形状であり、図１は飲料メーカー１を模式的に示す断面図である。飲料メーカー１は第１のタンク１０と第２のタンク２０の間に中間部３０を備え、これらは一体に形成されている。
【００１３】
第１のタンク１０は第１の開口１１を有し、第１の開口１１は第１の蓋１２で閉口可能である。これにより、第１の開口１１から第１のタンク内に液体（例えば、水や牛乳など）を入れことができ、また後述するように飲料メーカー１を倒置する際には第１のタンクに少量残っている液体が出てくるのを第１の蓋１２で防ぐことが出来る。本実施形態では第１のタンク１０に対して第１の蓋１２はスクリューキャップで密閉可能に構成されている。
【００１４】
第１のタンク１０の底部に円形のヒーター１４を供え、第１のタンク１０に入る液体（例えば水や牛乳）を加熱できるように配置されている。ヒーター１４の電源は不図示の電池部である。電池は液体に触れない箇所の第１のタンク１０の壁面内部にリチウムイオン二次電池を内蔵し、充電は無線により給電することが可能である。これにより、飲料メーカー１を屋外へ持ち出した場合でも、飲料を作ることが出来る。また、充電のためのコネクタを設けなくても済むため電池部に対する防水性も保たれる。
【００１５】
第２のタンク２０は第２の開口２１を有し、第２の開口２１は第２の蓋２２で閉口可能である。これにより、第１のタンク１０から中間部３０を経由して移動してきた液体（例えばコーヒーや紅茶、カフェオレなど）を第２のタンク２０から漏らすことなく保持することが可能で、また後述するように飲料メーカー１を倒置する際には第２の蓋２２を開けて第２の開口２１から液体を飲むことが出来る。本実施形態では第２の蓋は片手で開けることが出来るようにヒンジ部を備えており、密閉性を確保する為にパッキンを備えている。
【００１６】
中間部３０は引き出し部３１を有し、引き出し部３１は飲料メーカー１の側面から引き出し可能である。引き出し部３１には図１では図示していない飲料原料Ｉ（例えばコーヒー豆を粉砕したものや紅茶の茶葉など）載置可能である。これにより飲料メーカー１を使用した後に容易に使用済み飲料原料Ｉを取り出すことが出来、飲料メーカーの手入れが容易になる。
【００１７】
第１のタンク１０と中間部３０の間には、第１の弁１３が配置されている。第１の弁１３は通常状態では第１のタンク１０内の液体が重力により中間部３０へ移動しないように閉じ、所定の条件に達したことを検知した時に開くものを用いる。これにより、適切な温度に達していない液体が重力により中間部へ移動するのを防ぐことが出来、美味しい飲料を作ることが出来る。
本実施形態では第１の弁１３は、第１のタンク内の液体がヒーター１４によって加熱され、タンク内の液体が所定温度になったことを感知してバルブが開閉する温感自力式バルブを使用する。第１の弁１３として温感自力式バルブを用いると、バルブの開閉に電源が不要なため飲料メーカーのコンパクト化に寄与することが出来る。
【００１８】
第２のタンク２０と中間部３０の間には、第２の弁２３が配置されている。第２の弁２３は中間部３０から第２のタンク２０へ液体が重力により移動するように開き、第２のタンク２０の内の液体が重力により中間部３０へ移動しないように閉じるものを用いる。これにより、第１のタンク１０から中間部３０を経由して第２のタンク２０へ移動してきた液体（例えばコーヒーや紅茶、カフェオレなどの飲料）を第２のタンク２０から中間部３０へ逆流することを防ぐことが出来る。
【００１９】
本実施形態では第２の弁２３は、中間部３０から第２のタンク２０へ液体の移動は許し、第２のタンク２０から中間部３０へ液体の移動はできないようにするスプリング式の逆流防止弁を使用する。スプリング式の逆流防止弁はコンパクトなため飲料メーカーのコンパクト化に寄与することが出来る。
【００２０】
これらの第１の弁１３および第２の弁２３を備えることにより、第２のタンク２０が上に、第１のタンク１０が下になるように倒置したとしても、液体が逆流しない構成となる。また、飲料を作った後は、ユーザーは倒置という簡単な作業を行うだけで飲料を楽しむことが出来、例えば第１のタンク１０や中間部３０を取り除く必要はなく、また取り除いた部品の置き場所に困ることもない。これにより、外出先でもユーザーは簡単に飲料を楽しむことが出来る。また、運転中に飲料を楽しみたいユーザーであっても、集中力を途切れさせることなく運転しながら飲料を楽しむことが可能になる。
【００２１】
（飲料メーカー１の使用方法）
次に、飲料メーカー１をコーヒーメーカーとしたときの使用方法について図２のフローチャートを用いて説明する。まず、第２の蓋２２を閉じる（Ｓ１）。次に、第１のタンク１０が上、第２のタンクが下になるように載置する（Ｓ２）。引き出し部３１を引き出し、そこに飲料原料Ｉとしてのコーヒーパウチ（コーヒー豆を粉砕したものを、袋状のフィルターで包んだもの）をセットする（Ｓ３）。その後、第１のタンク１０内に、液体として水を入れる（Ｓ４）。水を入れたら第１の蓋１２を閉じ（Ｓ５）、ヒーター１４による水の加熱を開始する（Ｓ６）。ヒーターによる加熱が進み、水がコーヒーに適した温度の湯（所定温度）になると、それを検知して第１の弁１３が開く（Ｓ７）。湯（加熱された液体）が重力により中間部３０へ移動（Ｓ８）してコーヒーパウチを通過するとコーヒー（飲料）となり（Ｓ９）、コーヒーが重力により第２のタンク２０に移動する（Ｓ１０）。コーヒーの抽出が終了すると（Ｓ１１）、第２のタンク２０が上、第１のタンク１０が下になるように倒置する（Ｓ１２）。そして、第２の蓋２２を開けて、第２の開口２１からコーヒーを飲むことが出来る（Ｓ１３）。
【００２２】
（その他の実施形態）
本発明の実施の形態を説明したが、上述の実施形態は例示に過ぎない。上述した実施形態に限定されることなる、その趣旨を逸脱しない範囲内で、上述の実施形態を適宜変形して実施することが可能である。
【００２３】
上述の実施形態では、飲料メーカー１は第１のタンク１０、中間部３０、第２のタンク２０は一体に形成されている。しかし、第１のタンク１０、中間部３０、第２のタンクはそれぞれ独立して分離可能に形成されていても良いし、第１のタンク１０と中間部３０との２つが一体に形成されていても良いし、中間部３０と第２のタンク２０との２つが一体に形成されていても良い。
【００２４】
上述の実施形態では第１の蓋１２はスクリューキャップである。しかし、密閉できればよく、例えばパッキン付きの蓋であっても良い。
【００２５】
上述の実施形態ではヒーター１４は第１のタンク１０の底部に円形のヒーターを一つ用いた。しかし、複数のヒーター１４を第１のタンク１０の内壁面に配置しても良い。
【００２６】
上述の実施形態ではヒーター１４の電源を不図示の電池部とし、電池をリチウムイオン二次電池とした。しかし、電池は一次電池であっても良い。また、電源は例えば家庭用AC電源でも良いし、車のシガーソケットでも良い。これらの形態のいずれも可能な構成にしても良い。これによりユーザーの飲料メーカー１の使用における自由度を向上させることが出来る。
【００２７】
上述の実施形態では、第２の蓋２２はヒンジ部を備えている。しかし、密閉できればスクリューキャップであってもよく、パッキン付きの蓋であっても良い。
【００２８】
上述の実施形態では中間部３０は引き出し部３１を備える。しかし、中間部３０に飲料原料Ｉをセットできれば引き出し部３１は備えずともよく、例えば第１のタンク１０又は第２のタンク２０と、中間部３０とが分離可能な構成であっても良い。
【００２９】
上述の実施形態では第１の弁１３は、第１のタンク内の液体がヒーター１４によって加熱され、第１のタンク１０内の液体が所定温度になったことを感知してバルブが開閉する温感自力式バルブを使用する。しかし、例えば温度センサーを第１のタンク１０内にセットし、当該温度センサーが第１のタンク１９内の液体が所定温度になったことを検知した時にバルブを開く構成にしても良い。また、例えば圧力センサーを第１のタンク１０にセットし、当該圧力センサーが第１のタンク内の圧力が所定圧力になったことを検知した時にバルブを開く構成にしても良い。更に、所定温度や所定圧力をユーザーが適宜設定することが出来る構成にしても良い。そうすることでユーザーが中間部３０にセットする飲料原料Ｉによって、又はユーザーが第１のタンク１０内に入れる液体によって、適切な所定温度、所定圧力を選択することが可能になる。
【００３０】
上述の実施形態では第２の弁２３は、中間部３０から第２のタンク２０へ液体の移動は許し、第２のタンク２０から中間部３０へ液体の移動はできないようにするスプリング式の逆流防止弁を使用する。しかし、第２の弁２３は通常では開いた状態で、第１のタンク１０内の液体がすべて中間部３０へ移動したことを検知するセンサーを第１のタンク内にセットし、当該センサーが検知した時に第２の弁２３を閉じる構成にしても良い。第１のタンク１０内の液体がすべて中間部３０へ移動したことを検知するセンサーは、例えば重量センサーや温度センサー、圧力センサーがあげられる。温度センサーや圧力センサーを採用する場合、第１の弁１３を開くためのセンサーと兼ねても良い。これにより飲料メーカーのコンパクト化に寄与することが出来る。
【００３１】
上述の飲料メーカーの使用方法においては飲料原料Ｉとしてコーヒーパウチを用いた。しかし、飲料原料Ｉはコーヒーパウチに限られず、ココアパウチ、ディーバッグ等を採用することが出来る。また、第１のタンク１０内に入れる液体として水を用いた。しかし、第１のタンク１０内に入れる液体は水に限られず、牛乳や豆乳等を採用することが出来る。そして、当然第２のタンク２０に入る飲料はコーヒーには限られず、カフェラテやココア、紅茶等とすることが出来る。
【符号の説明】
【００３２】
１    飲料メーカー
１０  第１のタンク
２０  第２のタンク
１３  第１の弁
２３  第２の弁
３０  中間部
【図１】
2020175046.tif 000003
【図２】
2020175046.tif 000004